(57)【特許請求の範囲】
【請求項１】
仏壇本体の一部として、不使用時には仏壇本体内に格納される一方、使用時には仏壇本体内から仏壇本体外前方に引き出して使用される掴まり立ち用の手摺が設けられていることを特徴とする仏壇。
【請求項２】
掴まり立ち用の手摺は、仏壇本体の前後方向に所定の長さを有して仏壇本体内に格納されるスライド部材よりなり、該スライド部材は仏壇本体内の前後方向に所定の長さを有して設けられたガイド部材によりスライド可能に支持されることにより、仏壇本体内に格納可能および仏壇本体内から仏壇本体外前方へ引き出し可能に構成されていることを特徴とする請求項１記載の仏壇。
【請求項３】
ガイド部材とスライド部材の間に、スライド部材の引き出し方向側前端部を１回押すごとに同スライド部材の引き出し方向側前端部を仏壇本体の前面に沿う格納位置と仏壇本体の前面から前方に所定寸法だけ突出する引き出し可能位置に出没変位させる出没変位手段が設けられていることを特徴とする請求項２記載の仏壇。
【請求項４】
掴まり立ち用の手摺が、仏壇本体の前面側左右の２箇所に設けられていることを特徴とする請求項１、２又は３記載の仏壇。
【発明の詳細な説明】
【技術分野】
【０００１】
本願発明は、仏壇本体に仏壇本体の一部として掴まり立ち用の手摺が設けられている仏壇の構造に関するものである。
【背景技術】
【０００２】
家庭において、仏壇の使用者が仏壇の前に座った状態から立ち上がろうとするときに、特に老齢者の中には何かに掴まり立ちしなければ立ち上がり動作が難しい人がいる。即ち、老齢者の中には足が健常でない人が多々おり、そのような足が健常でない人が仏壇の前に座った状態から立ち上がる際には、仏壇の前（座っている位置）の近辺に掴まり立ちできる物がないと、床面に手をついて立ち上がるしかなく、立ち上がるまでに時間がかかるとともに、立ち上がるのに苦労しているのが現状である。
【０００３】
尚、仏壇の前に供机（経机ともいう）のような台がある場合には、その供机を手で押さえながら立ち上がろうとすることがあるが、供机は大重量を支え得る設計になっていないので、体重をかけると壊れるおそれがあるとともに、供机の片隅を強く押さえたときには、該供机がひっくり返ることがあるので、危険を伴うものであった。
【発明の概要】
【発明が解決しようとする課題】
【０００４】
本願発明は、上記のような事情に鑑み、仏壇の前に座っていた人が立ち上がる際に、仏壇自体の一部を利用して掴まり立ちができるようにすることにより、足が健常でない人でも楽に立ち上がることができるようにした掴まり立ち用の手摺を備えた仏壇を提供することを目的とするものである。
【課題を解決するための手段】
【０００５】
本願の請求項１〜４の発明は、上記の課題を解決するために、それぞれ次のような課題解決手段を備えている。
【０００６】
［本願請求項１の発明の課題解決手段］
本願請求項１の発明の課題解決手段は、仏壇本体の一部として、不使用時には仏壇本体内に格納される一方、使用時には仏壇本体内から仏壇本体外前方に引き出して使用される掴まり立ち用の手摺が設けられていることを特徴としている。
【０００７】
そして、この掴まり立ち用の手摺は、仏壇の前に座った人の手が届く高さ位置に設けられている。
【０００８】
このような構成によれば、仏壇本体の前に座っていた人が立ち上がろうとするに際し、仏壇本体の一部として設けられている、不使用時には仏壇本体内に格納される一方、使用時には仏壇本体内から仏壇本体外前方に引き出して使用することができる掴まり立ち用の手摺を利用し、同掴まり立ち用の手摺を仏壇本体内から仏壇本体外前方に引き出して掴まり立ちすることにより、比較的楽に立ち上がることができるようになる。したがって、高齢者など足の悪い人などが仏壇を利用する場合に非常に有益なものとなる。
【０００９】
しかも、同掴まり立ち用の手摺は、仏壇本体の一部として構成されており、不使用時には仏壇本体内に格納されるようになっているので、仏壇自体の美観を損ねることもなく、邪魔にもならない。
【００１０】
［本願請求項２の発明の課題解決手段］
本願請求項２の発明の課題解決手段は、請求項１の発明の課題解決手段において、掴まり立ち用の手摺は、仏壇本体の前後方向に所定の長さを有して仏壇本体内に格納されるスライド部材よりなり、仏壇本体内の前後方向に所定の長さを有して設けられたガイド部材によりスライド可能に支持されることにより、仏壇本体内に格納可能および仏壇本体内から仏壇本体外前方へ引き出し可能に構成されていることを特徴としている。
【００１１】
このように、掴まり立ち用の手摺を仏壇本体の前後方向に所定の長さを有して仏壇本体内に格納されるスライド部材により構成し、同スライド部材を仏壇本体内の前後方向に所定の長さを有して設けられたガイド部材によってスライド可能に支持するように構成すると、請求項１の発明の課題解決手段の作用を果たす掴まり立ち用の手摺を、容易に仏壇本体内に格納可能および仏壇本体内から仏壇本体外前方へ引き出し可能に構成することができる。
【００１２】
このようなスライド部材とガイド部材とのスライドガイド構造採用した場合、たとえばスライド部材とガイド部材との間には、スライド部材を仏壇本体の前面から所定長さだけ引き出した（突出させた）段階で、その後のスライド部材の前方への引き出し（スライド）を禁止するストッパー手段が設けられる。
【００１３】
このような構成によると、スライド部材がストッパー手段によりガイド部材に対して一定の長さ範囲しかスライドできないので、スライド部材が必要な長さを超えて前方に突出することがなく、掴まり立ち用の手摺としての十分な支持強度、支持モーメントが保障され、安全になる。
【００１４】
また、この場合、上記スライド部材の引き出し方向側前端部には、必要に応じて、たとえば人の手で把持し得る持ち手部が設けられる。このように持ち手部を設けると、同持ち手部を持って立ち上がることができるので、持ち手部を有しない単なる所定の長さのスライド部材よりなる掴まり立ち用の手摺の場合に比べて、より安全、かつ確実に掴まり立ちすることができるようになる。
【００１５】
また、このようにスライド部材の引き出し方向側前端部に持ち手部を設けた場合には、スライド部材を仏壇本体内のガイド部材に押し込んだ状態において、スライド部材の持ち手部の前面が仏壇本体の前面とほぼ同一面となるように構成し、スライド部材収納状態において持ち手部が外部から目立たないようにし、仏壇の美観を損ねないようにすることが好ましい。
【００１６】
［本願請求項３の発明の課題解決手段］
本願請求項３の発明の課題解決手段は、請求項２の発明の課題解決手段において、ガイド部材とスライド部材の間に、スライド部材の引き出し方向側前端部を１回押すごとに同スライド部材の引き出し方向側前端部を仏壇本体の前面に沿う格納位置と仏壇本体の前面から前方に所定寸法だけ突出する引き出し可能位置に出没変位させる出没変位手段が設けられていることを特徴としている。
【００１７】
この種の出没変位手段としては、一般的にマグネットキャッチが多用されているが、この発明の課題解決手段における出没変位手段では、スライド部材の引き出し方向側前端部を１回押すごとに同スライド部材の引き出し方向側前端部を上記仏壇前面に沿う格納位置と上記仏壇前面から前方に所定寸法だけ突出する引き出し可能位置に出没変位させるマグネットキャッチ機能を有して構成されている。
【００１８】
そして、スライド部材の引き出し方向側前端部を上記仏壇前面に沿う格納位置に押し込んだ状態では、上記出没変位手段（マグネットキャッチ手段）により上記スライド部材の引き出し方向側前端部が仏壇本体の前面に沿う格納位置に維持される一方、その状態からスライド部材の引き出し方向側前端部を押すと出没変位手段によりスライド部材の引き出し方向側前端部が上記引き出し可能位置に所定寸法押し出されるようになる。
【００１９】
［本願請求項４の発明の課題解決手段］
本願請求項４の発明の課題解決手段は、上記請求項１、２又は３の発明の課題解決手段において、掴まり立ち用の手摺を仏壇本体の前面側左右の２箇所に設けたことを特徴としている。
【００２０】
このように構成すると、仏壇本体の前に座っていた人が両手を使って掴まり立ちすることができるので、より安全で、より楽に立ち上がることができるようになる。
【発明の効果】
【００２１】
以上の結果、本願発明によると、仏壇本体自体に仏壇本体の一部として掴まり立ち用の手摺が設けられているので、仏壇使用後の立ち上がりに際しては、同手摺を利用して楽に立ち上がることができる。したがって、老齢者や足の悪い使用者にとって、非常に有益なものとなる。
【００２２】
しかも、同掴まり立ち用の手摺は、仏壇本体の一部として、不使用時には仏壇本体内に格納され、使用時にのみ、仏壇本体内から仏壇本体外に引き出して使用することができるようになっている。したがって、特に仏壇としての美観を損ねることもなく、掴まり立ち時以外の使用時の障害になることもない。
【図面の簡単な説明】
【００２３】
【図１】本願発明の第１の実施例に係る掴まり立ち用の手摺を備えた仏壇の仏壇本体の構成を示す正面図である。
【図２】図１のII−II矢視相当図である。
【図３】図１のIII−III拡大断面図である。
【図４】図３のIV−IV断面図である。
【図５】図３の状態（スライド部材を仏壇本体内に収納した状態）からスライド部材を仏壇本体外前方に引き出した使用可能な状態への変化図である。
【図６】本願発明の第２の実施例に係る掴まり立ち用の手摺を備えた仏壇の仏壇本体の構成を示す正面図である。
【発明を実施するための形態】
【００２４】
以下、添付の図面を参照して、本願発明の実施例に係る掴まり立ち用の手摺を備えた仏壇の構成について詳細に説明する。図１〜図５には、本願の請求項１〜３の発明に対応する第１の実施例の構成が示され、また、図６には、本願の請求項４の発明に対応する第２の実施例の構成が示されている。
【００２５】
［図１〜図５に示す第１の実施例の構成について］
図１〜図５に示す第１の実施例に係る掴まり立ち用の手摺を備えた仏壇は、まず図１及び図２に示すように、上部側の仏壇１１と下部側の基台箱１２とを有し、該下部側の基台箱１２の上に上部側の仏壇１１を載置して仏壇本体１を構成している。尚、図１及び図２の状態では、上部側の仏壇１１の各扉１１ａ，１１ａ、及び下部側の基台箱１２の各扉１２ａ，１２ａはそれぞれ開放している。
【００２６】
図１及び図２に示す仏壇本体１は、この実施例の場合、たとえば上部側の仏壇１１と下部側の基台箱１２との合計高さが１３１cm、閉扉状態での幅が４８cm、奥行きが４５cm程度の大きさのものを採用している。又、下部側の基台箱１２の高さは、約５２cmである。      
【００２７】
この仏壇本体１の大きさ・形状等は特に限定するものではなく、さらに他の実施例では、仏壇本体１として全体を一体型にしたもの（上部側の仏壇１１と下部側の基台箱１２とを分離していないもの）も適用可能である。
【００２８】
上部側の仏壇１１内には宗派の本尊や各種の仏具が陳列され、下部側の基台箱１２内には適宜の仏具（及びその他の物品）が収容される。
【００２９】
この第１の実施例（図１〜図５）の仏壇の仏壇本体１には、下部側の基台箱１２における右・上角部付近の１箇所に、仏壇の前に座っている人Ｍ（図２）が掴まり立ちするための手摺を備えた手摺装置２が設けられている。
【００３０】
この手摺装置２は、たとえば図３〜図５に拡大図示するように、仏壇本体１を構成する上記下部側の基台箱１２の右・上角部内に前後方向に延びて設けられた四角筒状のガイド部材２１と該ガイド部材２１内にスライド自在に挿通された掴まり立ち用の手摺（手摺部材）を構成するスライド部材２５とを有して構成されている。この実施例では、ガイド部材２１とスライド部材２５とはそれぞれ木材製であるが、他の材料製（例えばプラスチック製あるいは金属製）のものであってもよい。
【００３１】
ガイド部材２１は、たとえば図４に示すように、上板２１ａと下板２１ｂと左右の各側板２１ｃ，２１ｄとで断面四角筒状に合体させたものであって、図３に示すように基台箱１２内の奥行き長さとほぼ同長さ（例えば４０〜４２cm）を有している。ガイド部材２１の中心部には、スライド部材２５を形成している角棒材２６（後述する）を挿通させるための四角形の長穴がその全長に亘って形成されている。
【００３２】
そして、このガイド部材２１は、仏壇本体１の基台箱１２における上面板１３と右側の側面板１４との接合角部の内面に対し、奥行き方向（仏壇本体１の前後方向）に延びる形で固定して設けられている。また、このガイド部材２１の下面側には、上記基台箱１２の右側の側面板１４の内面に当接状態で設置した支え側板１５（図４）と、ガイド部材２１の前部寄り部分を支持する支え前板１６（図３）が設置されていて、後述するように、仏壇本体１の前に座っていた人が立ち上がるに際して、掴まり立ち用の手摺を構成するスライド部材２５の持ち手部２７部分を掴んで下方に押した時の下向きの応力（体重による押圧荷重）を下方から支持し得るようにしている。
【００３３】
掴まり立ち用の手摺を構成するスライド部材２５は、たとえば図３〜図５に示されるように、上記ガイド部材２１の角筒状の長穴内に挿通される同形状の長尺の角棒材２６により構成されており、その引き出し方向側前端部（仏壇本体１の前方側端部）に人の手Ｈを載せ掛ける（上方側から人の手Ｈで把持する）持ち手部２７を取付けたものである。角棒材２６は、上記の如く四角筒構造のガイド部材２１の断面四角形の長穴内に過不足なく挿通される断面四角形のもので、ガイド部材２１の全長よりやや短い長さを有している。
【００３４】
持ち手部２７は、人の手Ｈ（図２、図５）を載せ掛ける（上方側から人の手で把持する）もので、この実施例では、正面視略四角形の板材が使用されている。この持ち手部２７の形状を正面視略四角形としたのは、他の部分（下部側の基台箱１２の扉１２ａ）との取り合いをし易くするためで、持ち手部２７を正面視略四角形にしていると、扉１２ａの閉扉状態で持ち手部２７に対応する扉部分に四角形状の切欠１２ｂを形成すればよい（加工がし易い）。尚、この持ち手部２７の形状は、把持し易さ（掴みやすさ）の観点から正面視で円形や楕円形に形成してもよい。
【００３５】
そして、このスライド部材２５は、その角棒材２６部分を後端側からガイド部材２１の長穴内に挿入してセットされていて、その前端の持ち手部２７部分を把持して前方に引き出したり後方に押し込んだりすることで、掴まり立ち用の手摺部材としてのスライド部材２５を支持装着部材としてのガイド部材２１に対して前後にスライドさせ得るように組付けることによって、掴まり立ち用の手摺部材としてのスライド部材２５が仏壇本体１（その下部側の基台箱１２）の一部として構成されるようにしている。持ち手部２７の取り付け高さは、たとえば図２に示すように、仏壇本体１の前に座った人Ｍの肩の高さとほぼ同高さかそれよりやや低い位置（例えば床面から５０cm程度の高さ位置）となる。
【００３６】
また、この第１の実施例の手摺装置２では、たとえば図５に示すように、上記持ち手部２７が上記仏壇本体１の前面１ａから所定小長さＬ（Ｌ＝７〜８cm程度が適当）だけ突出した状態において、上記掴まり立ち用の手摺部材としてのスライド部材２５の前方へのスライド（引き出し）を禁止するストッパー手段４を設けている。
【００３７】
この実施例で採用しているストッパー手段４は、スライド部材２５を形成している角棒材２６の上面に所定長さの長溝４１を形成している一方、ガイド部材２１の上板２１ａの下面に長溝４１内に係入する下向きの突起４２を形成して構成されている。そして、このストッパー手段４は、スライド部材２５をガイド部材２１に対して図３に示す格納位置まで押し込んだ状態（不使用時の格納状態）ではガイド部材２１側の突起４２がスライド部材２５側の長溝４１に対して非係止状態であるが、この格納位置からスライド部材２５を前方に引き出すと、たとえば図５に示すように、長溝４１の奥端部４１ａが突起４２に衝合し、その時点でスライド部材２５の前方へのスライドを禁止するようになっている。
【００３８】
つまり、スライド部材２５は、ストッパー手段４で規制された長さＬ（例えば７〜８cm程度）を超えて前方に引き出すことができないので、たとえば図５に示すように、仏壇本体１の前に座っていた人Ｍが、その手Ｈで持ち手部２７を持って（上方側から掴んで）下方に押さえたとき（体重を掛けたとき）の転倒モーメント（仏壇が手前側に倒れるモーメント）が許容範囲内に収まる。また、掴まり立ち用の手摺部材としての支持剛性も十分なものとなる。これに対し、スライド部材２５の持ち手部２７が過剰に（例えば３０cm以上）前方突出すると、該持ち手部２７を押さえたとき（持ち手部２７に体重を掛けたとき）の転倒モーメントが大きくなって、仏壇本体１が前方側に転倒する恐れが生じる。
【００３９】
また、この第１の実施例の手摺装置２には、上記ガイド部材２１とスライド部材２５との間に、たとえば図３に矢印Ｐで示すように、持ち手部２７の前面（スライド部材２５の前端部）を１回押すごとに、該持ち手部２７が上記仏壇本体１の前面１ａに沿う後退位置（符号２７の格納位置）と仏壇本体１の前面１ａから前方に僅かに（所定寸法）突出する掴み可能位置（図３に鎖線図示する符号２７′の僅突出位置）との間で変位させ得る出没変位手段５を設けている。
【００４０】
この実施例では、上記出没変位手段５として、図３に示すようにマグネットキャッチ５１を採用している。そして、このマグネットキャッチ５１は、ガイド部材２１の長穴の奥端部付近に取り付けていて、スライド部材２５を格納位置（図３の実線図示位置）まで押し込んだ状態で持ち手部２７の前面を１回押す（矢印Ｐ）ごとに、角棒材２６の後端部（鉄板５２が取付けられいる）でマグネットキャッチ５１のヨークを出没させて、持ち手部２７を上記後退位置（符号２７の格納位置）と上記掴み可能位置（符号２７′の僅突出位置）とに変位させ得るようになっている。
【００４１】
この図１〜図５に示す第１の実施例における掴まり立ち用の手摺を備えた仏壇は、次のような機能を有する。
【００４２】
すなわち、まず図５に示すように、上記手摺装置２の掴まり立ち用の手摺部材であるスライド部材２５を前方側にスライドさせた状態（持ち手部２７が前方突出位置にある状態）では、仏壇本体１の前に座っている人Ｍ（図２）が立ち上がる際に、前方突出位置にある持ち手部２７を手Ｈで掴み、それを支えとして立ち上がることにより、体重をスライド部材２５に掛ける形で、楽に掴まり立ちをすることができるようになる。したがって、足が悪い人でも、自力で比較的容易に立ち上がることが可能となり、足の負担を軽減することができる。
【００４３】
また、掴まり立ち用の手摺部材であるスライド部材２５を備えた手摺装置２の非使用時には、掴まり立ち用の手摺部材であるスライド部材２５を上記仏壇本体１側基台箱１２内のガイド部材２１中に挿入して、その前端部にある持ち手部２７の前面が仏壇本体１の前面１ａに沿う後退位置（持ち手部２７の前面と仏壇本体１の前面１ａとが前後同位置に揃っている）に維持させておくことができるので、手摺装置２の掴まり立ち用の手摺部材であるスライド部材２５を掴まり立ち動作に利用できるようにしたものであっても、同手摺装置２における掴まり立ち用の手摺部材であるスライド部材２５の非使用時には持ち手部２７の前面が仏壇本体１の前面１ａの一部を形成する状態となるので、外部からはさほど目立たたず、仏壇本体１の美観を損ねることもない。また、邪魔にもならない。
【００４４】
また、この第１の実施例の掴まり立ち用の手摺を備えた仏壇では、上記手摺装置２に、持ち手部２７が仏壇本体１の前面１ａから所定小長さＬだけ突出した状態でスライド部材２５の前方へのスライドを禁止するストッパー手段４を設けているので、スライド部材２５（持ち手部２７）がストッパー手段４により必要長さ以上（過剰長さ）前方に突出することがない。従って、掴まり立ち用の手摺部材であるスライド部材２５前端の持ち手部２７を掴まり立ちに利用しても仏壇が前面側に転倒する危険を防止できるという機能がある。
【００４５】
さらに、この第１の実施例の掴まり立ち用の手摺を備えた仏壇では、ガイド部材２１とスライド部材２５との間に、持ち手部２７の前面（スライド部材２５の前端部）を１回押すごとに該持ち手部２７が仏壇本体１の前面１ａに沿う後退位置（格納位置）と該仏壇本体１の前面１ａから前方に僅かに突出する掴み可能位置（僅突出位置）との間で変位させ得る出没変位手段５（マグネットキャッチ５１）を設けているので、持ち手部２７の前面を押すという簡単な操作で該持ち手部２７を上記後退位置（格納位置）と上記掴み可能位置（僅突出位置）に変位させることができる。そして、この場合、持ち手部２７を、たとえば図３の符号２７′で示すように、掴み可能位置（僅突出位置）に位置させるようにすると、スライド部材２５を前方に引き出すときに持ち手部２７を手で掴み易いので、スライド部材２５の引き出し操作が容易になる。
【００４６】
［図６に示す第２の実施例の構成について］
図６に示す第２の実施例の掴まり立ち用の手摺を備えた仏壇は、上記第１の実施例における掴まり立ち用の手摺部材であるスライド部材２５を備えて構成された掴まり立ち用の
手摺装置２を、上記第１の実施例と同様の仏壇本体１の前面１ａにおける左右に離間した２箇所に設けたものである。
【００４７】
これら２組の掴まり立ち用の手摺装置２，２の左右間隔は、定位置（人Ｍが仏壇本体１の前に座った位置）から左右の各手Ｈ，Ｈがそれぞれの持ち手部２７，２７に無理なく届く程度の、例えば４０〜５０cm間隔が適当である。
【００４８】
この図６に示す第２の実施例の各掴まり立ち用の手摺装置２，２の構成は、その何れも上記第１の実施例（図１〜図５）のものと同じであるので、この第２の実施例の各掴まり立ち用の手摺装置２，２の構成及びその説明については、上記第１の実施例のものを援用する。
【００４９】
この実施例のように、掴まり立ち用の手摺部材であるスライド部材２５を備えた掴まり立ち押の手摺装置２，２を仏壇本体１（その基台箱１２）の左右２箇所に設けると、仏壇本体１の前に座っている人Ｍが掴まり立ち用の手摺装置２，２の手摺部材であるスライド部材２５，２５を利用して掴まり立ちする際に、左右両方の手Ｈ，Ｈを使うことが可能となり、両手で左右各部の持ち手部２７，２７を掴んで立ち上がることができる。
【００５０】
したがって、片方だけの場合に比べて、より安全、かつ楽に掴まり立ち動作を行えるようになる。
【符号の説明】
【００５１】
１は仏壇本体、１ａは仏壇本体１の前面、２は掴まり立ち用の手摺装置、４はストッパー手段、５は出没変位手段、１１は上部側の仏壇、１２は下部側の基台箱、２１はガイド部材、２５はスライド部材、２７は持ち手部、５１はマグネットキャッチである。
【図１】
0006582193.tif 000002
【図２】
0006582193.tif 000003
【図３】
0006582193.tif 000004
【図４】
0006582193.tif 000005
【図５】
0006582193.tif 000006
【図６】
0006582193.tif 000007